(57)【特許請求の範囲】
【請求項１】
展開自在に積層した皮脂透過性部材を有する皮脂量測定用具。
【請求項２】
蛇腹折りまたは扇折り状に積層されたものである請求項第１項記載の皮脂量測定用具。
【請求項３】
皮脂透過性部材の皮脂透過度を判定するための着色した領域を有する請求項第１項または第２項記載の皮脂量測定用具。
【発明の詳細な説明】
【０００１】
【発明の属する技術分野】
本発明は皮脂量測定用具に関し、更に詳細には簡易かつ迅速に皮脂量を測定することのできる皮脂量測定用具に関する。
【０００２】
【従来の技術】
皮膚に適用する化粧料は、皮膚の状態を調べ、使用者の皮膚に最も適したものを選択することが好ましい。皮膚表面から分泌される皮脂の量を知ることは、化粧料を選択する上で重要な要素であるため、種々の方法により皮脂量の測定が行われている。  しかし、従来の皮脂量測定方法は、特殊な薬品や大掛りな機器を必要とすることが多く、また結果を得るまでに長時間かかる等実用面での問題があった。
【０００３】
このため、比較的簡易な皮脂量測定用具として、基材の上に着色層や特定成分を配合した吸収層を重ねて設けた構造のもの（実公昭６４−３０７６号公報、実公平２−５４１４号公報）が提案されている。しかし、これらはその構造ゆえ、用具を製造する工程が複雑で製造コストも高くなり、販売現場等で使用する簡易な使い捨ての皮脂量測定用具として満足のいくものではなかった。
【０００４】
【発明が解決しようとする課題】
したがって、より簡単な構造で、しかも簡易かつ迅速に皮脂量を測定できる用具の開発が望まれていた。
【０００５】
【課題を解決するための手段】
本発明者らは、上記課題を解決すべく鋭意研究の結果、多層に積層した皮脂透過性部材には、皮膚の皮脂分泌量に比例して皮脂がしみこんでゆくこと、および、この現象を利用すれば上記要求を満足する皮脂量測定用具が得られることを見出し本発明を完成した。
【０００６】
即ち、本発明は積層した皮脂透過性部材を有する皮脂量測定用具を提供するものである。
【０００７】
【発明の実施の形態】
本発明用具を用いた皮脂量の測定は、積層した皮脂透過性部材を、皮脂量を測定しようとする額、頬等の皮膚表面に所定時間押し当て、皮膚表面の皮脂を皮脂透過性部材に浸透させた後、必要に応じ皮脂透過性部材を展開して皮脂が浸透した皮脂透過性部材の枚数（層の数）の多少を判別することによって行われる。
【０００８】
本発明の用具における皮脂透過性部材としては、皮脂を吸収・透過して光透過性が増大する性質を有する部材、例えば脂とり紙等の紙材、多孔性の樹脂フィルム、多孔性粉体を含有する樹脂フィルム等で構成される、薄い膜状の部材が挙げられる。このうち、皮脂透過性部材を折り畳み／展開して使用する場合には、脂とり紙等の紙材であることが好ましい。
【０００９】
皮脂透過性部材の厚さは、その材質に応じて異なるが、平均的な皮脂分泌量の人の測定で皮脂が１〜５枚目位まで浸透する程度に調製すればよい。
【００１０】
皮脂透過性部材を積層する方法としては、例えば蛇腹折り、扇折りなど展開自在に折り重ねる方法や、適当な大きさの切片を重ね、その片側を回動自在に固定したり、あるいは、ノートのようにのり付けする方法等が挙げられる。
【００１１】
更に皮脂量の判定に際しては、着色板を背景として使用すると浸透の有無を識別するのが容易となるため好ましく、黒、濃紺、こげ茶、深緑、黒紫等の明度の低い色が特に好ましい。また、着色板の替りに用具の一部に皮脂透過性部材の皮脂透過度を判定するための低明度に着色した領域（以下、単に「着色領域」という）を設け、その上に展開した皮脂透過性部材を重ねて浸透の有無を識別することも可能である。
【００１２】
【実施例】
以下、本発明の実施例を示す図面を挙げ、更に本発明を説明する。
図１は本発明の皮脂量測定用具の構成を示す図面であり、図２はその平面図である。本実施例は、基体１およびこれに着設された皮脂透過性部材２から構成され、皮脂透過性部材２は展開自在に蛇腹折りに畳まれている。また、基体１は１ａ−１ａ’で折曲げることができる。さらに基体１には皮脂量の判定を容易にするための着色領域３および皮膚と皮脂透過性部材２との接触面積を一定にするための窓４が設けられている。
【００１３】
この皮脂量測定用具の使用方法は、まず用具を閉じ皮脂透過性部材２が積層した状態で、図３のように窓４を通して皮脂透過性部材２を一定時間額などに押し当て、次いで用具を開き皮脂透過性部材２を引き出して展開し、基体１に設けられた着色領域３を背景に重ねて皮脂が透過した枚数を読み取り（図４）、皮脂量を判定する。
【００１４】
図５および図６は、本発明の皮脂量測定用具の別の好ましい態様の実施例を示す図面である。本実施例は、数枚の基体１の切片から構成されており、基体１は回動自在に展開できるように片側が蝶番５で固定されている。また、基体１のそれぞれの切片の同位置には窓４が設けられ、そこに皮脂透過性部材２が張着されている（図５）。
【００１５】
この皮脂量測定用具の使用方法は、まず用具を重ね皮脂透過性部材２が積層された状態で、窓４に張られた皮脂透過性部材２を一定時間額などに押し当て、次いで図６のように基体１を展開し、判定用の着色板６などを背景に用いて皮脂が透過した皮脂透過性部材２の枚数を読み取り皮脂量を判定する。
【００１６】
図７ないし図９は、本発明の皮脂量測定用具のさらに別の好ましい態様の実施例を示す図面である。本実施例は、皮脂透過性部材２の扇形切片を図７のように展開自在に扇折りに畳んだものであり、皮脂透過性部材２の面積の半分は図８のように低明度に着色されている。なお、皮脂透過性部材２を直接着色せず、低明度に着色した別の部材を皮脂透過性部材２に接合して用いてもよい。
【００１７】
この皮脂量測定用具の使用方法は、まず扇折りに積層した状態で皮脂透過性部材２を一定時間額などに押し当て、次いで皮脂透過性部材２を展開し、さらに半分に折って着色領域と重ね（図９）、着色領域を背景にして皮脂が透過した皮脂透過性部材２の枚数を読み取ることにより皮脂量を判定する。
【００１８】
【発明の効果】
本発明の皮脂量測定用具は、簡便かつ迅速に皮脂量を測定することができ、しかも構造が簡単であるため製造コストも低く経済的にも非常に有利である。
【図面の簡単な説明】
【図１】本発明の皮脂量測定用具の一態様の斜視図（開いた状態）。
【図２】本発明の皮脂量測定用具の一態様の平面図（閉じた状態）。
【図３】本発明の皮脂量測定用具の使用状態を示す図面。
【図４】本発明の皮脂量測定用具の一態様の判定をしている様子を示す図面（開いた状態）。
【図５】本発明の皮脂量測定用具の別の態様を示す図面（重ねた状態）。
【図６】本発明の皮脂量測定用具の別の態様の判定をしている様子を示す図面（展開した状態）。
【図７】本発明の皮脂量測定用具の更に別の態様を示す図面（折った状態）。
【図８】本発明の皮脂量測定用具の更に別の態様を示す図面（展開した状態）。
【図９】本発明の皮脂量測定用具の更に別の態様の判定をしている様子を示す図面。
【符号の説明】
１  ・・・  ・・・  基体
２  ・・・  ・・・  皮脂透過性部材
３  ・・・  ・・・  着色領域
４  ・・・  ・・・  窓
５  ・・・  ・・・  蝶番
６  ・・・  ・・・  着色板
１ａ−１ａ’  ・・・  ・・・  折り目
２ａ−２ａ’・・・  ・・・  折り目
２ｂ−２ｂ’・・・  ・・・  折り目
２ｃ−２ｃ’・・・  ・・・  折り目
▲１▼〜▲５▼  ・・・  ・・・  層数を示す番号
以    上
【図１】
0003568679.tif 000002
【図２】
0003568679.tif 000003
【図３】
0003568679.tif 000004
【図４】
0003568679.tif 000005
【図５】
0003568679.tif 000006
【図６】
0003568679.tif 000007
【図７】
0003568679.tif 000008
【図８】
0003568679.tif 000009
【図９】
0003568679.tif 000010